(57)【要約】【課題】本発明は、本発明は、プレートの内歯と遊星ギアとのがたつきを抑えることができるシート調整装置の提供を目的とする。【解決手段】第１プレート１と、第２プレート２と、第１プレート１及び第２プレート２の夫々に噛合した３つの遊星ギア３と、太陽ギア４と、遊星ギア３を第１プレート１及び第２プレート２の径方向に移動可能に保持した遊星ギア保持部材５ａ、５ｂと、遊星ギア３を移動操作する移動操作部材６と、遊星ギア保持部材５ａ、５ｂと移動操作部材６とを係止した係止手段としての付勢部材７とを備える。移動操作部材６は、遊星ギア保持部材５ａ、５ｂに対して一方向側に回動操作されるに伴って遊星ギア３を第１プレート及び第２プレートの径方向外側に案内できるように構成されている。【選択図】図３
2014101092.tif 000002
【特許請求の範囲】
【請求項１】
第１プレートと、前記第１プレートに対して回動可能な第２プレートと、第１プレート及び第２プレートのそれぞれに設けられた内歯に噛合した複数の遊星ギアとを備えたシート調整装置であって、
前記第１プレート及び第２プレートに対して回動可能に配設され、前記遊星ギアを前記第１プレート及び第２プレートの径方向に移動可能に保持した遊星ギア保持部材と、
前記遊星ギア保持部材に対して回動可能に配設され、前記遊星ギアを移動操作する移動操作部材と、
前記遊星ギア保持部材と前記移動操作部材とを係止する係止手段とを備え、
前記移動操作部材は、当該移動操作部材が前記遊星ギア保持部材に対して一方向側に回動操作されるに伴って前記遊星ギアを前記第１プレート及び第２プレートの径方向外側に移動できるように構成され、
前記係止手段は、前記遊星ギアが前記径方向外側に移動された状態で前記遊星ギア保持部材と前記移動操作部材とを係止していることを特徴とするシート調整装置。
【請求項２】
前記遊星ギアは、それぞれ、遊星ギア軸を備え、
前記遊星ギア保持部材は、前記遊星ギア軸が移動可能に挿通された長孔状の遊星ギア軸保持孔を備え、
前記遊星ギア軸保持孔は、その長手方向が前記第１プレート及び第２プレートの径方向に延されるように形成され、
前記移動操作部材は、前記遊星ギア軸を前記遊星ギア軸保持孔における径方向内側から径方向外側に案内移動する軸案内部を備えていることを特徴とする請求項１記載のシート調整装置。
【請求項３】
前記移動操作部材は、前記第１プレート及び第２プレートの軸心を略回動の中心にして前記遊星ギア保持部材に対して回動し、
前記軸案内部は、前記移動操作部材の周方向の一方向側に沿って、前記回動の中心からの距離が漸次大きくなるように形成された押圧部を備え、
前記押圧部は、前記移動操作部材が一方向側へ回動操作されるに伴って前記遊星ギア軸を押圧して前記遊星ギア軸保持孔における径方向内側から径方向外側に案内できるように構成されていることを特徴とする請求項２記載のシート調整装置。
【請求項４】
前記係止手段は、前記移動操作部材が前記遊星ギア保持部材に対して他方向側に回動するに際して前記移動操作部材を前記遊星ギア保持部材に対して前記一方向側に付勢する付勢部材を備え、
前記付勢部材の一端側は、前記遊星ギア保持部材に係止され、前記付勢部材の他端側は、前記移動操作部材に係止されていることを特徴とする請求項１〜３のいずれか一項に記載のシート調整装置。
【発明の詳細な説明】
【技術分野】
【０００１】
本発明は、自動車等のシートのリクライニング装置、或いは、シートを昇降させるリフターに用いられるシート調整装置に関するものである。
【背景技術】
【０００２】
例えば自動車等のシートのシートバックを適宜角度に傾倒できるようにしたリクライニング装置として、第１プレートと、第１プレートに対して回動可能な第２プレートと、第１プレート及び第２プレートのそれぞれに設けられた内歯に噛合した複数の遊星ギアとを備えた装置が知られている。
【０００３】
このような複数の遊星ギアを用いた装置では、第１プレート及び第２プレートのそれぞれの内歯と、複数の遊星ギアとがバックラッシ分のがたが生じる。このようながたが生じると、第１プレートと第２プレートとががたつき、その結果、シートバックががたついてしまう。
【０００４】
このような遊星ギアを用いた装置において、例えば特許文献１では、ばね材からなる保持体によって、各遊星ギアを直接径方向外側に付勢し、これにより、両プレートの内歯と遊星ギアとのバックラッシによるがたつきが生じ難いものにしている。
【先行技術文献】
【特許文献】
【０００５】
【特許文献１】実開平５−１３３５号公報
【発明の概要】
【発明が解決しようとする課題】
【０００６】
しかしながら、特許文献１に記載のようにばね材からなる保持体では、遊星ギアを直接径方向外側に付勢しても、プレートの内歯と遊星ギアとのがたつきを十分に抑え難いという問題点がある。
【０００７】
本発明は、プレートの内歯と遊星ギアとのがたつきを抑えることができるシート調整装置の提供を目的とする。
【課題を解決するための手段】
【０００８】
上記課題を解決するため、本発明のシート調整装置は、第１プレートと、前記第１プレートに対して回動可能な第２プレートと、第１プレート及び第２プレートのそれぞれに設けられた内歯に噛合した複数の遊星ギアとを備えたシート調整装置であって、前記第１プレート及び第２プレートに対して回動可能に配設され、前記遊星ギアを前記第１プレート及び第２プレートの径方向に移動可能に保持した遊星ギア保持部材と、前記遊星ギア保持部材に対して回動可能に配設され、前記遊星ギアを移動操作する移動操作部材と、前記遊星ギア保持部材と前記移動操作部材とを係止する係止手段とを備え、前記移動操作部材は、当該移動操作部材が前記遊星ギア保持部材に対して一方向側に回動操作されるに伴って前記遊星ギアを前記第１プレート及び第２プレートの径方向外側に移動できるように構成され、前記係止手段は、前記遊星ギアが前記径方向外側に移動された状態で前記遊星ギア保持部材と前記移動操作部材とを係止していることを特徴とする。
【０００９】
この構成によれば、移動操作部材が遊星ギア保持部材に対して一方向側に回動操作されれば、その回動に伴い、遊星ギアを第１プレート及び第２プレートの径方向外側に移動操作できる。これにより、遊星ギアを第１内歯及び第２内歯側に寄せることができ、遊星ギアと第１内歯及び第２内歯とのバックラッシによるがたを抑えることができる。
【００１０】
又、遊星ギアが第１プレート及び第２プレートの径方向外側に移動された状態で係止手段によって遊星ギア保持部材と移動操作部材とを係止しているため、遊星ギアを径方向外側に移動操作した位置に維持でき、遊星ギアと第１内歯及び第２内歯とのバックラッシによるがたを抑えた状態に維持できる。
【００１１】
前記調整装置において、前記遊星ギアは、それぞれ、遊星ギア軸を備え、前記遊星ギア保持部材は、前記遊星ギア軸が移動可能に挿通された長孔状の遊星ギア軸保持孔を備え、前記遊星ギア軸保持孔は、その長手方向が前記第１プレート及び第２プレートの径方向に延されるように形成され、前記移動操作部材は、前記遊星ギア軸を前記遊星ギア軸保持孔における径方向内側から径方向外側に案内移動する軸案内部を備えていることが好ましい。
【００１２】
この構成によれば、移動操作部材が遊星ギア保持部材に対して一方向側に回動操作されれば、その回動に伴い、確実に、遊星ギアを第１プレート及び第２プレートの径方向外側に移動操作できる。
【００１３】
前記調整装置において、前記移動操作部材は、前記第１プレート及び第２プレートの軸心を略回動の中心にして前記遊星ギア保持部材に対して回動し、前記軸案内部は、前記移動操作部材の周方向の一方向側に沿って、前記回動の中心からの距離が漸次大きくなるように形成された押圧部を備え、前記押圧部は、前記移動操作部材が一方向側へ回動操作されるに伴って前記遊星ギア軸を押圧して前記遊星ギア軸保持孔における径方向内側から径方向外側に案内できるように構成されていることが好ましい。
【００１４】
この構成によれば、移動操作部材が遊星ギア保持部材に対して一方向側に回動操作されれば、その回動に伴い、容易に、遊星ギアを第１プレート及び第２プレートの径方向外側に移動操作できる。
【００１５】
前記調整装置において、前記係止手段は、前記移動操作部材が前記遊星ギア保持部材に対して他方向側に回動するに際して前記移動操作部材を前記遊星ギア保持部材に対して前記一方向側に付勢する付勢部材を備え、前記付勢部材の一端側は、前記遊星ギア保持部材に係止され、前記付勢部材の他端側は、前記移動操作部材に係止されていることが好ましい。
【００１６】
この構成によれば、移動操作部材は付勢部材によって遊星ギア保持部材に対して移動操作部材が一方向側に付勢されているため、遊星ギア保持部材に対して移動操作部材を他方向側に回動し難くできるとともに、外的負荷によって移動操作部材が付勢部材の付勢力に抗して他方向側に回動した場合でも、外的負荷の除去によってもとの状態に復元できる。これにより、遊星ギアの軸を軸案内部の径大部側に維持でき、遊星ギアと第１内歯及び第２内歯とのバックラッシによるがたを抑えた状態に維持できる。
【００１７】
又、その際、付勢部材の一端側を遊星ギア保持部材に係止し、付勢部材の他端側を移動操作部材に係止すればよく、遊星ギアの軸を軸案内部の径大部側に移動させた状態で遊星ギア保持部材と移動操作部材とを容易に係止できる。
【発明の効果】
【００１８】
本発明のシート調整装置は、プレートの内歯と遊星ギアとのがたを抑えることができる。
【図面の簡単な説明】
【００１９】
【図１】本発明のシート調整装置としての一実施形態のリクライニング装置を装着した自動車用シートの側面図である。
【図２】図１のリクライニング装置の斜視図である。
【図３】図１のリクライニング装置の分解斜視図である。
【図４】図１のリクライニング装置の背面図である。
【図５】図４のＶ−Ｖ線断面図である。
【図６】図５のＶＩ−ＶＩ線断面図である。
【図７】図５のＶＩＩ−ＶＩＩ線断面図である。
【図８】図５のＶＩＩＩ−ＶＩＩＩ線断面図である。
【図９】図５のＩＸ−ＩＸ線断面図である。
【図１０】遊星ギア軸が遊星ギア保持部材の軸案内部の径小部側に位置した状態の説明図である。
【図１１】図１０の状態から遊星ギア保持部材を回動操作して遊星ギア軸を径方向外側案内する際の説明図である。
【発明を実施するための形態】
【００２０】
以下、本発明を実施するための形態について、図面を参照しながら詳細に説明する。図１は、本発明のシート調整装置としての一実施形態のリクライニング装置を装着した自動車用シートの側面図、図２は、図１のリクライニング装置の斜視図、図３は、図１のリクライニング装置の分解斜視図である。又、図４は、図１のリクライニング装置の背面図、図５は、図４のＶ−Ｖ線断面図、図６は、図５のＶＩ−ＶＩ線断面図、図７は、図５のＶＩＩ−ＶＩＩ線断面図、図８は、図５のＶＩＩＩ−ＶＩＩＩ線断面図、図９は、図５のＩＸ−ＩＸ線断面図である。
【００２１】
この実施形態のシート調整装置は、シートのリクライニング装置１０として実施されている。又、この実施形態では、リクライニング装置１０は、図１に示すように自動車用シート１００に用いられて、自動車用シートのリクライニング装置とされている。
【００２２】
この実施形態のリクライニング装置１０は、図２、図３に示すように第１プレート１と、第２プレート２と、複数の遊星ギア３と、太陽ギア４と、遊星ギア３を保持した遊星ギア保持部材５ａ、５ｂと、遊星ギア３を移動操作する移動操作部材６と、遊星ギア保持部材５ａ、５ｂと移動操作部材６とを係止した付勢部材（係止手段）７とを備えている。
【００２３】
第１プレート１は、中心部に第１プレート用孔１１を有するリング板状のものから構成されている。この第１プレート用孔１１を区画した内周部には、全周に渡って第１内歯１２が設けられている。
【００２４】
又、第１プレート１の後側面（図３では左側に表れている）には、受容凹部１３が設けられている。受容凹部１３は、第１プレート１の後側面から所定の深さで、円形状に窪まされるようにして形成されている。
【００２５】
このように構成された第１プレート１は、この実施形態では、シート１００のシートバック１０２（図１参照）に直接又はブラケットを介して固定的に取り付けられる。
【００２６】
第２プレート２は、第１プレート１と略同形状のもので、中心部に第２プレート用孔２１を有するリング板状のものから構成されており、第２プレート用孔２１を区画した内周部には、全周に渡って第２内歯２２が設けられている。この第２内歯２２は、その歯数が第１内歯１２の歯数と異なるように構成されている。
【００２７】
又、第２プレート２の後側面には、凹部２３が設けられている。この凹部２３は、第２プレート用孔２１と同心になるようにして、第２プレート２の後側面から所定の深さで、円形状に窪まされるようにして形成されており、円形状の内周壁２３ａを有する。
【００２８】
また、第２プレート２の前側面には、嵌合部２４が設けられている。この嵌合部２４は、第２プレート２の前側面から所定量、突出させるようにして、上記第１プレート１の受容凹部１３に回動自在に嵌まり込み得るように形成されている。
【００２９】
そして、この嵌合部２４が、第１プレート１の受容凹部１３に嵌まり込むことにより、第１プレート１、第１内歯１２、第２プレート２及び第２内歯２２の夫々の中心が位置合わせされて同心になって１つの中心Ｏ１（図４等に図示）を有するものとなっている。
【００３０】
このように構成された第２プレート２は、この実施形態では、シート１００のシートクッション１０１に直接又はブラケットを介して固定的に取り付けられる。
【００３１】
遊星ギア３は、この実施形態では、同一構成を採る３つから構成されている。各遊星ギア３は、複数の歯を有するギア部３１と、ギア部３１の軸方向の両側夫々に、軸方向に突設された遊星ギア軸３２とを備えている。
【００３２】
そして、これらの遊星ギア３は、図８に示すように第１プレート１の第１内歯１２及び第２プレート２の第２内歯２２の径方向内側に、各ギア部３１と第１内歯１２及び第２内歯２２とが噛合するようにして回動可能に配設されている。
【００３３】
太陽ギア４は、この実施形態では、外周に形成された複数の歯を有するギア部４１と、ギア部４１の前後両側に形成された太陽ギア軸４２と、太陽ギア軸４２を軸方向に貫通すようにして形成された断面正方形状の軸挿通孔４３とを備えている。
【００３４】
そして、この太陽ギア４は、図５、図８に示すように第１プレート１及び第２プレート２における３つの遊星ギア３の径方向内側に、太陽ギア４のギア部４１と遊星ギア３夫々のギア部３１とが噛合するようにして回動可能に配設されている。
【００３５】
遊星ギア保持部材は、図３、図５に示すように遊星ギア３の後側に配設された第１保持部材５ａと、遊星ギア３の前側に配設された第２保持部材５ｂと、それらを回動不能に連結した連結部材５５とから構成されている。
【００３６】
第１保持部材５ａは、板状の保持部材本体５０ａと、１つの太陽ギア保持孔５４ａと、３つの遊星ギア軸保持孔５１ａと、３つの連結部材保持孔５２ａと、付勢部材７を係止する第１係止片５３とを備えている。
【００３７】
太陽ギア保持孔５４ａは、太陽ギア軸４２を回動自在に保持する。この実施形態では、太陽ギア保持孔５４ａは、内径が太陽ギア軸４２の外径と同程度に形成されており、太陽ギア軸４２が太陽ギア保持孔５４ａに回動自在に嵌挿されるようになっている。そして、この太陽ギア保持孔５４ａは、第１保持部材５ａの中心部に形成されている。
【００３８】
遊星ギア軸保持孔５１ａは、遊星ギア軸３２が回動自在に且つ移動可能に挿通されるように形成されている。この実施形態の遊星ギア軸保持孔５１ａは、夫々、長孔から構成されている。
【００３９】
詳しくは、各遊星ギア軸保持孔５１ａは、図４、図６に示すように周方向の幅Ｗが遊星ギア軸３２の外径寸法と略同幅で、遊星ギア軸３２の外径寸法よりも長くなるように第１保持部材５ａの径方向に延ばされており、その径方向の長さＬが周方向の幅Ｗよりも長く形成されている。これにより、各遊星ギア軸保持孔５１ａは、遊星ギア軸３２を第１保持部材５ａの径方向に移動可能に保持できるようになっている。
【００４０】
そして、これら３つの遊星ギア軸保持孔５１ａは、保持部材本体５０ａにおける中心Ｏ２から所定長さ（半径）の位置に周方向に沿って等間隔に配設されている。
【００４１】
連結部材保持孔５２ａは、後述の連結部材５５のかしめ加工部５５ｂを挿通させるためのもので、夫々は、円形状を呈している。そして、これら３つの連結部材保持孔５２ａは、保持部材本体５０における隣接する２つの遊星ギア軸保持孔５１ａの間に配設されている。
【００４２】
第１係止片５３は、図３、図５に示すように保持部材本体５０の外周から後方側に所定の長さで突設されている。この実施形態では、第１係止片５３は、保持部材本体５０ａの一部を保持部材本体５０ａの外周から後方側に略直角に折り曲げ成形することにより形成されている。
【００４３】
又、第１係止片５３は、その先端部に、第１係止片５３の側面の一部を窪ませて形成した引っ掛け部５３ａを備えている。
【００４４】
第２保持部材５ｂは、第１保持部材５ａと同様に、太陽ギア保持孔５４ｂと、３つの遊星ギア軸保持孔５１ｂと、３つの連結部材挿通孔５２ｂとを備えている。ただし、この第２保持部材５ｂは、第１保持部材５ａのように第１係止片５３を有していない。
【００４５】
太陽ギア保持孔５４ｂ及び遊星ギア軸保持孔５１ｂは、第１保持部材５ａのものと同構成を採っている。
【００４６】
又、この第２保持部材５ｂの連結部材挿通孔５２ｂは、この実施形態では、径方向の幅よりも周方向の長さが長い長孔に形成されている。
【００４７】
連結部材５５は、第２保持部材５ｂの連結部材挿通孔５２ｂに回動不能に挿通される軸部５５ａと、軸部５５ａの先端側に形成されたかしめ加工部５５ｂと、軸部５５ａの基端側に形成された頭部５５ｃとを備えている。
【００４８】
かしめ加工部５５ｂは、第１保持部材５ａの連結部材保持孔５２ａに挿通される部分で、円形状を呈している。
【００４９】
上記のように構成された第１保持部材５ａは、図３、図５に示すように、遊星ギア３及び太陽ギア４の後方側から、太陽ギア軸４２が太陽ギア保持孔５４ａに、遊星ギア軸３２が各遊星ギア軸保持孔５１ａに、それぞれ挿通されるようにして第２プレート２の凹部２３内に回動可能に配設されている。
【００５０】
又、第２保持部材５ｂは、遊星ギア３及び太陽ギア４の前方側から、太陽ギア軸４２が太陽ギア保持孔５４ｂに、遊星ギア軸３２が各遊星ギア軸保持孔５１ｂにそれぞれ挿通されるようにして第１プレート１の前方側に回動可能に配設されている。
【００５１】
この状態で、第１保持部材５ａ及び第２保持部材５ｂは、それぞれの中心Ｏ２、Ｏ３が第１プレート１の中心Ｏ１と合致し、その中心Ｏ１を回動の軸にして第１プレート１及び第２プレート２に対して回動する。
【００５２】
そして、その状態で、図３に示す３つ連結部材５５が、夫々の連結部材挿通孔５２ａ、５２ｂに挿通され、第１保持部材５ａの連結部材挿通孔５２ａから突出した連結部材５５の前端部がかしめ加工されて抜け止めされている。
【００５３】
この状態で、第１保持部材５ａ又は太陽ギア４の回動に伴い遊星ギア３夫々が回動駆動し、第１内歯１２及び第２内歯２２に沿って自転しながら太陽ギア４の周りを公転する。
【００５４】
次に、移動操作部材６について説明する。移動操作部材６は、図３に示すように略円板状の移動操作部材本体６０と、太陽ギア軸挿通孔６１と、遊星ギア軸挿通孔６２と、連結部材挿通孔６３と、第２係止片６４を備えている。
【００５５】
太陽ギア軸挿通孔６１は、移動操作部材本体６０の中心部に、太陽ギア軸４２が挿通できるように、太陽ギア軸４２の外径と同程度の内径を有する円形状に形成されている。
【００５６】
遊星ギア軸挿通孔６２は、径方向の幅よりも周方向の長さが長い長孔に形成されている。又、この遊星ギア軸挿通孔６２を区画した区画壁における径内側の壁面は、遊星ギア軸３２を案内する軸案内部６２ａをなしている。
【００５７】
この軸案内部６２ａは、図７に示すように、区画壁における径内側の壁面の周方向の一端側に配設された径小部６２ｂと、上記壁面の周方向の他端側に配設された径大部６２ｃと、径小部６２ｂと径大部６２ｃとの間に形成された押圧部６２ｄとを備えている。
【００５８】
径大部６２ｃは、移動操作部材本体６０の中心Ｏ３からの距離Ｌ１０が径小部６２ｂにおけるその距離Ｌ１１よりも大きくなるように形成されている。
【００５９】
押圧部６２ｄは、径小部６２ｂから径大部６２ｃ側に漸次移動操作部材本体６０の中心Ｏ３からの距離が大きくなるように形成されている。
【００６０】
連結部材挿通孔６３は、連結部材５５の軸部５５ａよりも周方向の長さ及び径方向の長さが大きく設定され、軸部５５ａが周方向及び径方向に移動可能に挿通されている。
【００６１】
第２係止片６４は、図２、図３に示すように移動操作部材本体６０の外周から後方側に所定の長さで突設されている。この実施形態では、第２係止片６４は、移動操作部材本体６０の一部を移動操作部材本体６０の外周から後方側に略直角に折り曲げ成形することにより形成されている。
【００６２】
又、第２係止片６４は、その先端部に、第１係止片５３の側面の一部を窪ませて形成した引っ掛け部６４ａを備えている。
【００６３】
上記のように構成された移動操作部材６は、図５に示すように第１保持部材５ａと遊星ギア３及び太陽ギア４との間における第２プレート２の凹部２３内に回動可能に配設され、太陽ギア軸４２が太陽ギア軸挿通孔６１に、遊星ギア軸３２が遊星ギア軸挿通孔６２に、連結部材５５が連結部材挿通孔６３に、それぞれ、挿通されている。
【００６４】
この状態で、移動操作部材６は、その中心Ｏ３が第１保持部材５ａの中心Ｏ２及び第１プレート１の中心Ｏ１と合致し、その中心Ｏ１を回動の軸にして保持部材５ａ、５ｂに対して回動する。
【００６５】
又、移動操作部材６の保持部材５ａ、５ｂに対する回動に際して、例えば図１０に示す状態から、軸案内部６２ａの押圧部６２ｄが遊星ギア軸３２を押圧する。そして、押圧された遊星ギア軸３２は、保持部材５ａ、５ｂの連結部材保持孔５２ａ、５２ｂを径方向外側の第１内歯１２及び第２内歯２２側に移動して第１内歯１２及び第２内歯２２に当接する。
【００６６】
次に、付勢部材７について説明する。付勢部材７は、図３に示すように、この実施形態では、コイルスプリングから構成され、軸方向の両端それぞれに、第１保持部材５ａの第１係止片５３、移動操作部材６の第２係止片６４に引っ掛けるための引っ掛け片７１、７２を備えている。
【００６７】
そして、この実施形態では、付勢部材７は、遊星ギア軸３２が径大部６２ｃ側に相対移動して保持部材５ａ、５ｂの連結部材保持孔５２ａ、５２ｂを径方向外側に移動した図１１に示す状態で引っ掛け片７１、７２が第１保持部材５ａの第１係止片５３と移動操作部材６の第２係止片６４とに引っ掛けられている。
【００６８】
以上のように構成されたリクライニング装置１０は、例えば太陽ギア４の軸挿通孔４３に軸が回動不能に挿通され、その軸の端部に回動不能に係合された操作部材９２（図１に図示）を回動操作されることにより、太陽ギア４が回転する。
【００６９】
又、その太陽ギア４の回転によって、３つの遊星ギア３が第１プレート１の第１内歯１２及び第２プレート２の第２内歯２２に沿って自転しながら移動する。
【００７０】
尚、操作部材９２によって太陽ギア４を回動操作する形態のものに限らず、例えば太陽ギア４の軸挿通孔４３に挿通された軸をモータによって回動操作してもよい。又、保持部材５ａ、５ｂを手動又はモータによって回動操作することによって遊星ギア３を回動させてもよい。
【００７１】
そして、その遊星ギア３が第１プレート１の第１内歯１２及び第２プレート２の第２内歯２２に沿って移動する際、第１内歯１２と第２内歯２２との歯数が異なるため、第２プレート２が第１プレート１に対して回動し、シートバック１０２が前又は後に傾倒する。
【００７２】
又、この状態では、遊星ギア３が移動操作部材６によって、第１プレート１及び第２プレート２の径方向外側に移動操作されて第１内歯１２及び第２内歯２２に押し付けられている。
【００７３】
従って、遊星ギア３と第１プレート１の第１内歯１２及び第２プレート２の第２内歯２２とのバックラッシによるがたが抑えられた状態になっている。よって、シートバック１０２がシートクッション１０１に対してがたつくようなことを防止できる。
【００７４】
尚、上記実施形態では、本発明のシート調整装置は、シートのリクライニング装置として実施されたが、リクライニング装置に用いられる形態のものに限らず、例えば自動車用等のシートを昇降させるリフターとして実施することもでき、適宜変更して実施できる。
【００７５】
又、上記実施形態では、係止手段は、付勢部材７から構成され、付勢部材７によって第１保持部材５ａと移動操作部材６とが係止されたが、この形態のものに限らず、適宜変更できる。例えば係止手段は、移動操作部材６が第１保持部材５ａに対して一方向側に回動操作されて遊星ギア３が第１プレート１及び第２プレート２の径方向外側に移動操作された状態で第１保持部材５ａと移動操作部材６とをボルト、或いは溶接等によって係止してもよい。
【符号の説明】
【００７６】
１    第１プレート
２    第２プレート
３    遊星ギア
４    太陽ギア
５ａ    第１保持部材（遊星ギア保持部材）
５ｂ    第２保持部材（遊星ギア保持部材）
６    移動操作部材
７    付勢部材（係止手段）
１０    リクライニング装置
【図１】
2014101092.tif 000003
【図２】
2014101092.tif 000004
【図３】
2014101092.tif 000005
【図４】
2014101092.tif 000006
【図５】
2014101092.tif 000007
【図６】
2014101092.tif 000008
【図７】
2014101092.tif 000009
【図８】
2014101092.tif 000010
【図９】
2014101092.tif 000011
【図１０】
2014101092.tif 000012
【図１１】
2014101092.tif 000013